(57)【特許請求の範囲】
【請求項１】
碍子（２０）に取り付けられ、碍子（２０）の延長線上に配置される支持部材（１）と、該支持部材（１）上に配置される少なくとも一対の支持片（５，５Ａ，４２，５００）とを備え、
少なくとも一対の支持片（５，５Ａ，４２，５００）は、その間に引込線（Ｃ）が碍子（２０）と反対側から碍子（２０）に向かって挿通されることで、引込線（Ｃ）を挿通可能な一定間隔の挿通路を形成し、引込線（Ｃ）が碍子（２０）から離間する方向に引っ張られることで、引込線（Ｃ）に噛み込むように構成されることを特徴とする引込線支持具。
【請求項２】
前記支持片（５，５）は、前記支持部材（１）において引込線（Ｃ）を挟むように両側に配置され、各基端部（５ａ，５ａ）が回動自在に支持され、しかも、各先端部（５ｂ，５ｂ）の間隔（Ｈ）は、支持片（５，５）が碍子（２０）から離間する方向に回動すると狭くなるように形成されることを特徴とする請求項１に記載の引込線支持具。
【請求項３】
前記支持片（５，５）は、回動支点（Ｏ）と、先端部（５ｂ）の外形の基準線（ｘ）とを結ぶ直線（ｌ）の長さが碍子（２０）側が大きくなるように形成されることを特徴とする請求項２に記載の引込線支持具。
【請求項４】
前記支持片（５，５）は、引込線（Ｃ）を包囲するよう、凹状の外周端面（５０ｃ，５０ｃ）を有することを特徴とする請求項１乃至３のいずれか１項に記載の引込線支持具。
【請求項５】
前記支持片（５，５）は、前記支持部材（１）の両側面（１ｃ，１ｃ）に一対ずつ配置されることを特徴とする請求項１乃至４のいずれか１項に記載の引込線支持具。
【請求項６】
前記碍子（２０）は、引込線（Ｃ）が碍子（２０）側に挿通される方向に沿う中心線（ａ）上に係止孔（２２）が形成され、前記支持部材（１）は、前記中心線（ａ）に沿うように、碍子（２０）の係止孔（２２）に係止するフック（２）が取り付けられることを特徴とする請求項１乃至５のいずれか１項に記載の引込線支持具。
【発明の詳細な説明】
【技術分野】
【０００１】
本発明は、碍子に引込線を固定する際に使用される引込線支持具に関する。
【背景技術】
【０００２】
従来、低圧用の引込線（低圧引込線）の３本の撚り線を碍子に巻き付けて固定する場合、３本（黒色、青色、緑色）の撚り線のうち、１本目（例えば、黒色の電線）を碍子の一側の突出部に巻き付けた後、２本目（青色の電線）を碍子の他側の突出部に巻き付けている。最後に、緑色のアース線をいずれか一方の突出部に巻き付けている。
【０００３】
この場合、碍子近傍に荷重のかかった電線を、碍子近傍に引き上げているので、電線を仮支持することなく、碍子に電線を巻き付けようとする方向とは反対側に、各電線の張力がかかってしまい、巻き付け作業がしづらくなる。そこで、碍子に巻き付ける電線を仮支持することで、上記のような問題を解消した配電線用支持腕が提供されている。
【０００４】
従来のこの種の配電線用支持腕は、例えば、複数の碍子が支持された碍子支持用アームに、電線を仮支持するための仮支持用アームを取り付けたものが公知になっている（特許文献１）。この仮支持アームは、上下に水平方向に配置される一対の水平部材と、所定の間隔をおいて固着される複数のＬ字形状の電線用係止具を有し、各水平部材を連結すべく上下方向に配置される垂直部材とを備えている。
【先行技術文献】
【特許文献】
【０００５】
【特許文献１】実開昭６２−１５１３６６号公報
【発明の概要】
【発明が解決しようとする課題】
【０００６】
しかしながら、前記公報の配電線用支持腕においては、電線用係止具に対して、テンションのかかった電線がどのようにして係止して仮支持されるのか、その記載事項はなく、碍子に対する電線の巻き付け作業が円滑に行えるとは言い難い。
【０００７】
そこで、本発明は、かかる事情に鑑み、碍子に対して、テンションのかかった引込線を迅速にかつ容易に巻き付け作業できるようにした引込線支持具を提供することを課題とする。
【課題を解決するための手段】
【０００８】
本発明に係る引込線支持具は、碍子２０に取り付けられ、碍子２０の延長線上に配置される支持部材１と、該支持部材１上に配置される少なくとも一対の支持片５，５Ａ，４２，５００とを備え、少なくとも一対の支持片５，５Ａ，４２，５００は、その間に引込線Ｃが碍子２０と反対側から碍子２０に向かって挿通されることで、引込線Ｃを挿通可能な一定間隔の挿通路を形成し、その引込線Ｃが碍子２０から離間する方向に引っ張られることで、引込線Ｃに噛み込むように構成されることを特徴とする。
【０００９】
かかる構成によれば、引込線Ｃを各支持片５，５Ａ，４２，５００間に挿通して、碍子２０に巻き付けできる位置まで持っていくことができる。一方、引込線Ｃが碍子２０から離間すると、少なくとも一対の支持片５，５Ａ，４２，５００が噛み込むように構成されているので、引込線Ｃが碍子２０から離間すると、引込線Ｃが少なくとも一対の支持片５，５Ａ，４２，５００によって支持される。つまり、引込線Ｃは碍子２０側への挿通のみが行えて、その反対側の引っ張りは阻止される。また、少なくとも一対の支持片５，５Ａ，４２，５００によって支持された引込線Ｃは、支持点から碍子２０側にかけての部位に、碍子２０とは反対側へのテンションがかかることがない。このため、碍子２０に対して引込線Ｃを確実に固定することができる。
【００１０】
また、本発明によれば、前記支持片５，５は、前記支持部材１において引込線Ｃを挟むように両側に配置され、各基端部５ａ，５ａが回動自在に支持され、しかも、各先端部５ｂ，５ｂの間隔Ｈは、支持片５，５が碍子２０から離間する方向に回動すると狭くなるように形成されるような構成を採用することもできる。
【００１１】
かかる構成によれば、支持片５，５の各先端部５ｂ，５ｂの間隔Ｈが、支持片５，５が碍子２０から離間する方向に回動すると狭くなるように構成されているので、各先端部５ｂ，５ｂの間隔Ｈの広い部位において、引込線Ｃの挿通が可能になるとともに、各先端部５ｂ，５ｂの間隔Ｈの狭い部位において、引込線Ｃに噛み込むようになる。すなわち、碍子２０側への引込線Ｃの挿通のみが容易に行えるとともに、碍子２０とは反対側への引込線Ｃの引っ張りが確実に阻止されるようになる。つまり、作業者が、引込線Ｃを挿通した後に、引込線Ｃから手を放しても、引込線Ｃを挿通した位置で確実に支持できるようになる。
【００１２】
また、本発明によれば、前記支持片５，５は、回動支点Ｏと、先端部５ｂの外形の基準線ｘとを結ぶ直線ｌの長さが碍子２０側が大きくなるように形成されるような構成を採用することもできる。
【００１３】
かかる構成によれば、各支持片５，５の間隔を、支持片５，５が碍子２０側から離間する方向に回動すると狭くなるようにすることができる。すなわち、引込線Ｃに対して、碍子２０とは反対側にテンションがかかった場合、引込線Ｃを確実に支持できる。
【００１４】
また、本発明によれば、前記支持片５，５は、引込線Ｃを包囲するよう、凹状の外周端面５０ｃ，５０ｃを有するような構成を採用することもできる。
【００１５】
かかる構成によれば、各支持片５，５の凹状の対向面５０ｃ，５０ｃで引込線Ｃを包囲するようになるので、各支持片５，５の間に挿通された引込線Ｃの挿通状態を確実に維持できるようになる一方、引込線Ｃが碍子２０とは反対側に引っ張られた際に、確実に支持できるようになる。すなわち、各支持片５，５の間隔Ｈから引込線Ｃが逸脱することがないので、円滑に作業を進めることができる。
【００１６】
また、本発明によれば、前記支持片５，５は、前記支持部材１の両側面１ｃ，１ｃに一対ずつ配置されるような構成を採用することもできる。
【００１７】
かかる構成によれば、支持部材１の両側面１ｃ，１ｃに一対ずつ配置された支持片５，５によって、引込線Ｃを個別に処理できるようになる。すなわち、作業効率がよくなる。
【００１８】
また、本発明によれば、前記碍子２０は、引込線Ｃが碍子２０側に挿通される方向に沿う中心線上に係止孔２２が形成され、前記支持部材１は、前記中心線ａに沿うように、碍子２０の係止孔２２に係止するフック２が取り付けられるような構成を採用することもできる。
【００１９】
かかる構成によれば、引込線Ｃが挿通される方向に沿うように、碍子２０と支持部材１とが連結される、すなわち、碍子２０および支持部材１が引込線Ｃの軸線に沿って直列に連結されるので、碍子２０の延長線に引込線Ｃを一致させた状態で引込線Ｃを碍子２０に固定することができ、その結果、引込線Ｃからの張力を左右均等に碍子２０に掛けることができる。
【発明の効果】
【００２０】
以上説明したように、本発明に係る引込線支持具によれば、少なくとも一対の支持片の間に挿通される引込線を碍子から離間する方向に引っ張ることで、引込線に一対の支持片が噛み込むように構成されるので、碍子に対して、テンションのかかった引込線を迅速にかつ容易に固定することができ、作業効率を向上することができる。
【図面の簡単な説明】
【００２１】
【図１】本発明の一実施形態に係る引込線支持具を示す平面図であり、（ａ）は、各支持片が接触した状態を示す平面図、（ｂ）は、各支持片が圧接した状態を示す平面図。
【図２】同実施形態に係る引込線支持具の側面図。
【図３】（ａ）は、同実施形態に係る引込線支持具の前面図、（ｂ）は同実施形態に係る引込線支持具の後面図。
【図４】同実施形態に係る引込線支持具の支持片において、外形線によって設定される基準線を示す図。
【図５】同実施形態に係る引込線支持具の使用態様を示す図であり、引込線を碍子側に挿通した状態を示す平面図。
【図６】同実施形態に係る引込線支持具の使用態様を示す図であり、引込線を一対の支持片によって支持した状態を示す平面図。
【図７】同実施形態に係る引込線支持具の使用態様を示す平面図であり、（ａ）は、Ｓ字に巻き付けた状態を示す側面図、（ｂ）は、Ｓ字から８の字に巻き付けた状態を示す側面図。
【図８】他の実施形態に係る引込線支持具を示す図であり、凹面が形成された引込線支持具の支持片の外周端面を示す要部断面図。
【図９】一対の支持片を支持部材の両側面に配置した、他の実施形態に係る引込線支持具を示す図であり、（ａ）は、使用態様を示す平面図、（ｂ）は、前面図。
【図１０】一方に扇状の支持片を配置するとともに、他方に平板状の支持片を配置する、他の実施形態に係る引込線支持具を示す平面図。
【図１１】外周端面に凹凸部を有する、一対の扇形状の支持片を備えた、他の実施形態に係る引込線支持具の平面図であり、（ａ）は、各支持片が接触した状態を示す平面図、（ｂ）は、各支持片が圧接した状態を示す平面図。
【図１２】内部にテーパ面が形成された固定部材と、該固定部材の貫通孔に進退自在に貫設された一対の支持片とを備えた、他の実施形態に係る引込線支持具を示す平面図であり、（ａ）は、各支持片が接触した状態を示す平面図、（ｂ）は、各支持片が圧接した状態を示す平面図。
【発明を実施するための形態】
【００２２】
以下、本発明に係る引込線支持具の一実施形態について、図１〜図７を参照して説明する。
【００２３】
本実施形態に係る引込線支持具Ａは、図１〜図３（ａ），（ｂ）に示すように、支持部材１と、引込線Ｃを挿通できるように、支持部材１の一方の面１ａに配置される複数の支持片５，５（本実施形態においては、一対の支持片５，５）とを備えている。
【００２４】
支持部材１は、図１に示すように、平面視矩形状を呈している。また、図３（ａ）に示すように、先端面１ｂに、引込線Ｃが碍子２０側に挿通される方向に沿う中心線ａに沿うように略Ｌ字形状のフック２が取り付けられている。該フック２は、前記中心線ａに沿う直線状の支持部２ａと、該支持部２ａの端部に垂設される係止部２ｂとを有している。そして、フック２の係止部２ｂが、後述する碍子２０の係止孔２２に係止することで、支持部材１は、引込線Ｃが碍子２０側に挿通される方向に沿うように、碍子２０の手前（延長線上）に連結される。すなわち、支持部材１は、碍子２０に対して直列するように連結される（図６参照）。
【００２５】
各支持片５，５は、図１（ａ），（ｂ）に示すように、ハート形状を呈しており、支持部材１の一方の面１ａにおいて引込線Ｃを挿通できるように所定の間隔をおいて両側に配置されている。また、各支持片５，５は、各基端部５ａ，５ａが回動自在に支持されている。また、基端部５ａ（回動支点Ｏ）には、つる巻きバネ（図示せず）が設けられており、各先端部５ｂ，５ｂの外周端面（対向面）５ｃ、５ｃが引込線Ｃの外周面に接触するように、内側に向かって弾性付勢されている。また、各先端部５ｂ，５ｂの外周端面５ｃ，５ｃの間隔Ｈは、支持片５，５が碍子２０から離間する方向に回動すると狭くなるように形成されている。詳細に説明すると、各支持片５，５は、回動支点Ｏと引込線Ｃの外周面とを結ぶ直線ｌ１によって描かれる円弧状の第一面５１，５１と、該直線ｌ１よりもやや長い直線ｌ２によって描かれる円弧状の第二面５２，５２とを有している。そして、図４に示すように、支持片５，５は、回動支点Ｏと、先端部５ｂの外形の基準線（第一面５１の頂部および第二面５２の頂部とに外接する曲線）ｘとを結ぶ直線ｌの長さが碍子２０側が大きくなるように形成されている。
【００２６】
そして、引込線Ｃが各支持片５，５間に挿通される場合は、図１（ａ）に示すように、第一面５１，５１が引込線Ｃの外周面に接触し、引込線Ｃに碍子２０側とは反対側にテンションがかかった場合は、図１（ｂ）に示すように、前記テンションによる引込線Ｃの移動に伴って、引込線Ｃの外周面に接触している接触面から第二面５２，５２側に回動し、この回動に伴って、第二面５２，５２が引込線Ｃの外周面に対して径内方向に移動して圧接し、引込線Ｃを支持するようになる。すなわち、各支持片５，５は、碍子２０側に向かって各支持片５，５間に挿通される引込線Ｃの外周面に接触する一方、接触した状態から、各支持片５，５間に挿通された引込線Ｃの外周面を径内方向に圧接して、引込線Ｃが各支持片５，５によって支持される。
【００２７】
ここで、本実施形態で使用される碍子２０の構成について図５を参照して簡単に説明する。該碍子２０は、引込線Ｃが挿通される方向に沿って前後に配置された一対の突出部２１，…が、左右の両側面にそれぞれ配置されている。また、碍子２０の左右の両側面間の面２０ａに、引込線Ｃが挿通される方向に沿う中心線ａ上に長楕円状の係止孔２２が形成されている。該係止孔２２には、構造物３０に連結するための金属線３１が挿通されるとともに、上述した引込線支持具Ａのフック２の係止部２ｂが係止される。そして、フック２の係止部２ｂが係止された状態においては、碍子２０に対して引込線支持具Ａが直列して連結できる。なお、碍子２０は、一般的に、バインドレス碍子や、平型碍子と呼ばれている。
【００２８】
つぎに本実施形態に係る引込線支持具Ａの使用態様について図５〜図７（ａ），（ｂ）を参照して説明する。まず、図５に示すように、構造物３０に取り付けられた係止リング３１に、金属線３２を巻き付けて、構造物３０と碍子２０とを連結する。その後、引込線支持具Ａのフック２の係止部２ｂを、碍子２０の係止孔２２に係止させて、碍子２０の手前に引込線支持具Ａの支持部材１を直列に連結する。この際、金属線３２、碍子２０、引込線支持具Ａの支持部材１、碍子２０側に挿通される引込線Ｃの軸線とが同一直線上に配置されている。すなわち、引込線Ｃが挿通しやすいように各部材３１，２０，１が配列されている。
【００２９】
つぎに、支持部材１の各支持片５，５間に引込線Ｃを碍子２０側に挿通すると、各支持片５，５の第一面５１，５１が引込線Ｃの外周面に接触する。すなわち、各支持片５，５が引込線Ｃの外周面に接触することで、引込線Ｃの挿通路が形成される。そして、引込線Ｃを碍子２０の突出部２１，…に巻き付ける長さの分だけ挿通するようにする。
【００３０】
その後、引込線Ｃから手を放して、引込線Ｃに対して碍子２０と反対側（引っ張る方向）にテンションがかかる状態にする。すなわち、引込線Ｃが碍子２０とは反対側に引っ張られることで、これに従動するように、各支持片５，５が回動して第一面５１，５１から第二面５２，５２へ移動するようになる。つまり、各支持片５，５は、引込線Ｃの外周面に接触している状態から圧接する状態に移行するようになる。具体的に説明すると、図６に示すように、圧接する状態に移行するにしたがって、引込線Ｃの外周面に対して、各支持片５，５の第二面５２，５２が径内方向に移動し、引込線Ｃの外周面が第二面５２，５２に圧接されて、引込線Ｃが各支持片５，５によって支持されるようなる。
【００３１】
つぎに、例えば、図７（ａ）に示すように、引込線Ｃの３本の撚り線ｃ１〜ｃ３のうち、１本目の黒色の撚り線ｃ１を、碍子２０の右側面に前後に配置された各突出部２１，２１の上方に位置させた後、略Ｓ字形状に巻き付ける。具体的に説明すると、１本目の黒色の撚り線ｃ１を、碍子２０の奥側（構造物３０側）の突出部２１に上側から巻き付けた後、斜め下方から手前（支持部材１側）の突出部２１に向けて引き延ばし、手前の突出部２１に巻き付ける。
【００３２】
そして、図７（ｂ）に示すように、碍子２０の各突出部２１，２１に跨るように配置される部位を、奥側の突出部２１から手前の突出部２１に向けて斜め下方に引き延ばし、たすき掛けにする。すなわち、初めに引き延ばした部位と、後から引き延ばした部位とが交差して、８の字形状になっている。
【００３３】
そして、図示していないが、２本目の青色の電線ｃ２を、上記と同様に、碍子２０の左側面に配置された各突出部２１，２１に巻き付ける。最後に、３本目の緑色の撚り線（アース線）ｃ３を、いずれか一方の各突出部２１，２１に巻き付ける。なお、碍子２０の巻き付け方法は、図７（ａ），（ｂ）に限定されるものではない。
【００３４】
このように、本実施形態によれば、引込線Ｃを碍子２０側に挿通する際は、各支持片５，５が引込線Ｃの外周面に接触するように構成されるとともに、引込線Ｃに碍子２０とは反対側にテンションがかかった際は、引込線Ｃの外周面に接触している各支持片５，５が、引込線Ｃに対して径内方向に移動して圧接することによって、各支持片５，５が引込線Ｃを支持するように構成されるので、碍子２０側に挿通した引込線Ｃにはテンションがかかることがなく、引込線Ｃの撚り線ｃ１〜ｃ３を碍子２０に巻き付けしやすくなり、作業効率を向上させることができる。
【００３５】
また、本実施形態によれば、引込線Ｃが挿通される方向に沿うように、碍子２０と支持部材１とが連結される、すなわち、碍子２０および支持部材１が引込線Ｃの軸線に沿って直列に連結されるので、碍子２０の延長線に引込線Ｃを一致させた状態で引込線Ｃを碍子２０に固定することができ、その結果、引込線Ｃからの張力を左右均等に碍子２０に掛けることができる。
【００３６】
なお、本発明に係る引込線支持具は、上記した実施の形態に限定されるものではなく、本発明の要旨を逸脱しない範囲内において種々変更を加え得ることができる。
【００３７】
例えば、前記実施形態の場合、一対の支持片５，５の先端部５ｂ，５ｂの外周端面５ｃ，５ｃを、フラットに形成しているが、図８に示すように、引込線Ｃの外周面、あるいは、各撚り線ｃ１〜ｃ３を包囲するよう、凹状の外周端面５０ｃ，５０ｃとするようにしてもよい。この場合、凹状の外周端面５０ｃ，５０ｃから引込線Ｃが抜けることがない。
【００３８】
また、前記実施形態の場合、支持部材１の一方の面１ａに一対の支持片５，５を配置するようにしたが、図９（ａ），（ｂ）に示すように、両面（左右の両側面）１ｃ，１ｃに一対ずつ配置するようにしてもよい。すなわち、一方の一対の支持片５，５には、引込線Ｃの３本の撚り線ｃ１〜ｃ３のうち、１本目の撚り線ｃ１を挿通し、該撚り線ｃ１を一方の一対の支持片５，５で支持した状態にして、碍子２０の左右の両側面の一方の側面の突出部２１，…に撚り線ｃ１を巻き付けるとともに、他方の一対の支持片５，５には、２本目の電線ｃ２を挿通し、該撚り線ｃ２を他方の一対の支持片５，５で支持した状態にして、碍子２０の左右の両側面の他方の側面の突出部２１，…に撚り線ｃ２を巻き付けるようにして、引込線Ｃを碍子２０に固定する。この場合、引込線Ｃの撚り線ｃ１〜ｃ３の本数に応じて個別に巻き付け作業を行うことができ、作業効率がさらによくなる。
【００３９】
また、前記実施形態の場合、一対のハート形状の支持片５，５を支持部材１に配置するとともに、各支持片５，５の対向面を引込線Ｃの外周面に接触するように、弾性付勢するようにしたが、図１０に示すように、一方の支持片５をハート形状にして、他方の支持片５Ａを平板状にするようにしてもよい。
【００４０】
また、前記実施形態の場合、一対の支持片５，５の形状を、第一面５１および第二面５２を有するハート形状としたが、扇形状、長楕円形状であってもよく、図１１に示すように、扇形状に形成した一対の支持片５００，５００の外周端面５００ｃ，５００ｃに連続した凹凸部５０１ｃ，５０１ｃを形成するようにしてもよい。要は、碍子２０側に、引込線Ｃの外周面を径内方向に押圧する第二面５２０が配置され、碍子２０とは反対側に、引込線Ｃの外周面に接触する第一面５１０が配置される構成であればよい。すなわち、支持片５００，５００の回動支点Ｏと、支持片５００，５００の先端部の外形の基準線とを結ぶ直線の長さが碍子２０に向かうにしたがって大きくなるようにして、支持片５００，５００が碍子２０から離間する方向に回動するのにしたがって間隔Ｈが狭くなるようにしてもよい。
【００４１】
また、前記実施形態の場合、一対の支持片５，５を互いに接触する方向に弾性付勢するようにしたが、図１２に示すように、碍子２０側に向かうにしたがって内径が大きくなる貫通孔（テーパ面を有する孔）４１を有する固定部材４０と、引込線Ｃを挿通できる挿通孔４３が軸方向に沿って形成されるとともに、前記貫通孔４１に対して進退自在に貫設される一対の支持片４２，４２とを備えたものであってもよい。この場合、貫通孔４１の内壁に形成されたテーパ面に沿って各支持片４２，４２が進退する。すなわち、各支持片４２，４２が碍子２０側に進出するにしたがって、各支持片４２，４２間の挿通孔４３の内径が大きくなるので、引込線Ｃを挿通できるようになる。一方、各支持片４２，４２が碍子２０とは反対側に後退するにしたがって、各支持片４２，４２間の挿通孔４３の内径が小さくなるので、引込線Ｃの挿通、および、引っ張りが阻止される。すなわち、引込線Ｃが支持される。要は、引込線Ｃを碍子２０側に挿通できるとともに、碍子２０とは反対側にテンションがかかった場合に、引込線Ｃを支持できる構成であればよい。
【符号の説明】
【００４２】
１…支持部材、５，５Ａ，４２，５００…支持片、５ａ…基端部、５ｂ…先端部、５ｃ，５０ｃ…外周端面、２０…碍子、２２…係止孔、Ａ…引込線支持具、Ｃ…引込線、Ｈ…間隔、ａ…中心線
【図１】
0005349533.tif 000002
【図２】
0005349533.tif 000003
【図３】
0005349533.tif 000004
【図４】
0005349533.tif 000005
【図５】
0005349533.tif 000006
【図６】
0005349533.tif 000007
【図７】
0005349533.tif 000008
【図８】
0005349533.tif 000009
【図９】
0005349533.tif 000010
【図１０】
0005349533.tif 000011
【図１１】
0005349533.tif 000012
【図１２】
0005349533.tif 000013